(57)【特許請求の範囲】
【請求項１】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記混合部から流れる水に含まれているミネラル成分の濃度を測定する濃度センサと、使用者がミネラル水の濃度を設定する濃度設定手段と、前記濃度センサと濃度設定手段の信号に応じて前記駆動部を駆動する制御手段とを備えたミネラル水製造装置。
【請求項２】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記混合部から流れる水の流量を測定する流量センサと、第１の添加部に流入する原水の流量を調整する流量調整手段と、流量調整手段を駆動する第２の駆動部と、前記混合部から流れる水に含まれているミネラル成分の濃度を測定する濃度センサと、使用者がミネラル水の濃度やマグネシウムの溶解量を設定する濃度設定手段と、前記濃度センサと流量センサと濃度設定手段の信号に応じて前記駆動部と第２の駆動部とを駆動する制御手段とを備えたミネラル水製造装置。
【請求項３】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記混合部から流れる水の流量を測定する流量センサと、第１の添加部に流入する原水の流量を調整する流量調整手段と、前記流量調整手段を手動で駆動するつまみと、マグネシウムの溶解量を表示するＭｇ溶解量報知手段と、前記混合部から流れる水に含まれているミネラル成分の濃度を測定する濃度センサと、使用者がミネラル水の濃度を設定する濃度設定手段と、前記濃度センサの信号と流量センサの信号と濃度設定手段の信号に応じて前記駆動部を駆動し、ミネラル水のミネラル成分の濃度を一定に調整し、Ｍｇ溶解量報知手段でマグネシウム溶解量を表示する制御手段とを備えたミネラル水製造装置。
【請求項４】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記第１の添加部に流入する原水の流量を調節する流量調整手段と、流量調整手段を駆動する第２の駆動部と、第１の添加部を流れた水に含まれているマグネシウム成分の濃度を測定する第２の濃度センサと、前記混合部から流れる水に含まれているミネラル成分の濃度を測定する濃度センサと、使用者がミネラル水の濃度やマグネシウム溶解量を設定する濃度設定手段と、前記第２の濃度センサの信号と濃度設定手段に設定されている設定値に応じて第２の駆動部を駆動して流量調整手段を駆動してマグネシウム成分の濃度を調整した後、前記濃度センサの信号に応じて駆動部を作動させて流量比調整手段を駆動する制御手段とを備えたミネラル水製造装置。
【請求項５】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記混合部から流れる水に含まれているミネラル成分の濃度を測定する濃度センサと、前記第１の添加部に流入する原水の流量を調節する流量調整手段と、流量調整手段を駆動する第１のつまみと、第１の添加部を流れた水に含まれているマグネシウム成分の濃度を測定する第２の濃度センサと、使用者がミネラル水の濃度を設定する濃度設定手段と、前記第２の濃度センサの信号によってマグネシウムの溶解量を報知するＭｇ溶解量報知手段と、前記濃度センサと濃度設定手段に設定されている信号に応じて駆動部を駆動してミネラル水のミネラル成分の濃度を調整し、Ｍｇ溶解量報知手段の表示内容を制御する制御手段とを備えたミネラル水製造装置。
【請求項６】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、前記混合部から流れる水に含まれているミネラル成分の濃度を測定する濃度センサと、前記濃度センサの信号に応じて硬度を表示する硬度報知手段に表示内容を出力する制御手段とを備えたミネラル水製造装置。
【請求項７】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、混合部から流れる水の流量を測定する流量センサと、第１の添加部に流入する原水の流量を調整する流量調整手段と、流量調整手段を駆動する第２の駆動部と、使用者がミネラル水のマグネシウム濃度を設定するＭｇ濃度設定手段と、前記濃度センサの信号から硬度報知手段に表示内容を出力すると共に、第２の駆動部を作動させて混合部から流れるミネラル水の流量を調整してＭｇ濃度設定手段により設定されたマグネシウムの量に調整する制御手段とを備えたミネラル水製造装置。
【請求項８】
マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、混合部から流れる水の流量を測定する流量センサと、第１の添加部に流入する原水の流量を調整する流量調整手段と、流量調整手段を駆動する第２のつまみと、前記濃度センサの信号と流量センサの信号とからミネラル水の硬度とマグネシウムの溶解量を表示する硬度＆Ｍｇ溶解量報知手段と、前記濃度センサの信号と流量センサの信号から前記硬度＆Ｍｇ溶解量報知手段に表示内容を出力する制御手段とを備えたミネラル水製造装置。
【請求項９】
マグネシウム成分を添加する第１の添加部と、第１の添加部に流入する原水の流量を調整する流量調整手段と、前記流量調整手段を駆動する第２の駆動部と、第１の添加部から流れる水が含有しているマグネシウム成分の濃度を測定する第２の濃度センサと、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、使用者がミネラル水に含まれるマグネシウムの溶解量を設定するＭｇ濃度設定手段と、前記濃度センサの信号から、硬度を表示する硬度報知手段に指示内容を出力し、Ｍｇ濃度設定手段と第２の濃度センサの信号により、所定の濃度になるように第２の駆動部を駆動する制御手段とを備えたミネラル水製造装置。
【請求項１０】
マグネシウム成分を添加する第１の添加部と、第１の添加部に流入する原水の流量を調整する流量調整手段と、前記流量調整手段を駆動するつまみと、第１の添加部から流れる水が含有しているマグネシウム成分の濃度を測定する第２の濃度センサと、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、ミネラル水の硬度とマグネシウム溶解量を表示する硬度＆Ｍｇ溶解量報知手段と、前記濃度センサの信号と第２の濃度センサの信号とから前記硬度＆Ｍｇ溶解量報知手段に硬度とマグネシウム溶解量の表示内容を指示する制御手段とを備えたミネラル水製造装置。
【発明の詳細な説明】
【０００１】
【発明の属する技術分野】
本発明は一般家庭や業務用として使用される、原水にカルシウム成分とマグネシウム成分を添加するミネラル水製造装置に関するものである。
【０００２】
【従来の技術】
近年、一般家庭で、例えば水道水等の原水にミネラル成分を添加したミネラル整水器が普及してきている。このミネラル整水器は、水道水等の原水を活性炭等で吸着処理した後、炭酸カルシウム等のミネラル成分を溶け込ませる構成となっている。また、前記ミネラル成分を添加した後、更に水を電気分解してアルカリイオンを含有するアルカリイオン整水器も普及してきている。このアルカリイオン整水器から得られる酸性水はアストリンゼント効果を、アルカリ性水には慢性下痢、消化不良、胃腸内異常発酵、制酸、胃酸過多等の症状に効果があるといわれている。
【０００３】
【発明が解決しようとする課題】
しかし、従来のアルカリイオン整水器やミネラル整水器は、添加するミネラル成分の濃度が使用時間の経過と共に少しずつ下がり、最後にはミネラルの添加ができなくなるという課題を有している。つまり、普通、カルシウム添加材料としては溶解しやすい乳酸カルシウムやグリセロリン酸カルシウム等を用いるものであるが、これらは非常に水に溶解しやすいため、添加した直後は非常に濃度の高いミネラル水となるものである。しかし、前記したように、時間が経過すると共にこれらの溶解度が低下するものであって、結果的に機器の使用中にミネラル成分の濃度が短時間に大幅に変化するものとなっている。また、前記した課題に加えて、従来のアルカリイオン整水器やミネラル整水器はカルシウム分を添加するものであり、マグネシウム分を添加することは出来ないという課題も有している。すなわち、骨粗鬆症や各種の生活習慣病に対してカルシウム成分だけではなくマグネシウム成分を摂取することが効果があるといわれ始めているものである。
【０００４】
【課題を解決するための手段】
本発明は、マグネシウム成分を添加する第１の添加部を通過した水を、流量比調整手段によってカルシウム成分を添加する第２の添加部を流れる水と前記第２の添加部を通過しない水とに分流し、混合部によって前記２種類の水を混合して、混合部からでた水のミネラル成分の濃度を濃度センサによって測定し、制御手段がこの情報によって駆動部を作動させて流量比調整手段を適切な流量比に設定するようにして、ミネラル成分の濃度を濃度設定手段に設定されている濃度に維持できるミネラル水製造装置としているものである。
【０００５】
【発明の実施の形態】
請求項１に記載した発明は、マグネシウム成分を添加する第１の添加部を通過した水を流量比調整手段によって、カルシウム成分を添加する第２の添加部を流れる水と前記第２の添加部を通過しない水とに分流し、混合部によって前記２種類の水を混合して、混合部からでた水のミネラル成分の濃度を濃度センサによって測定し、制御手段がこの情報によって駆動部を作動させて流量比調整手段を適切な流量比に設定するようにして、マグネシウム成分とカルシウム成分とを含むミネラル水を長期間、安定的に濃度設定手段に設定されている濃度で作ることが出来るミネラル水製造装置としている。
【０００６】
請求項２に記載した発明は、流量センサが検知する混合部を流れる水の流量を示す信号と、濃度センサが測定するミネラル成分の濃度を示す信号によって第２の駆動部を駆動して第１の添加部に流入する原水の流量を調整し、駆動部を駆動して流量比を調整するようにして、ミネラル水のミネラル成分の濃度を濃度設定手段に設定されている濃度に調整でき、しかもマグネシウム成分とカルシウム成分との溶解比率を調整することができるミネラル水製造装置としている。
【０００７】
請求項３に記載した発明は、濃度センサの信号と流量センサの信号に応じて調整方向報知手段につまみの調整方向を表示し、この表示に基づいて使用者が第１の添加部に流れる原水の流量を調整するようにして、ミネラル水のミネラル成分の濃度を濃度設定手段に設定されている濃度に調整でき、しかもマグネシウム成分とカルシウム成分との溶解比率を調整することができるミネラル水製造装置としている。
【０００８】
請求項４に記載した発明は、第２の濃度センサによってマグネシウム成分の濃度を測定し、マグネシウム成分を所定の濃度に調整した後、濃度センサの信号に応じて駆動部を作動させるようにして、ミネラル水のミネラル成分の濃度を濃度設定手段に設定されている濃度に調整でき、しかもマグネシウム成分とカルシウム成分との溶解比率を簡単な構成で調整することができるミネラル水製造装置としている。
【０００９】
請求項５に記載した発明は、第２の濃度センサによってマグネシウム成分の濃度を測定し、使用者がＭｇ溶解量報知手段の指示に従ってつまみを調整するようにしてマグネシウム成分を所定の濃度に調整した後、濃度センサの信号に応じて駆動部を駆動して流量比調整手段を調整して、ミネラル水のミネラル成分の濃度を濃度設定手段に設定されている濃度に調整でき、しかもマグネシウム成分とカルシウム成分との溶解比率を簡単な構成で調整することができるミネラル水製造装置としている。
【００１０】
請求項６に記載した発明は、混合部から流れる水に含まれているミネラル成分の濃度を濃度センサによって測定し、濃度センサの信号に応じて調整方向報知手段につまみの調整方向を指示して、使用者が混合部に流れる原水の流量を手動で調整することによって、ミネラル水のミネラル成分の濃度を濃度設定手段に設定されている濃度に調整でき、しかもマグネシウム成分とカルシウム成分との溶解比率を簡単な構成で調整することができるミネラル水製造装置としている。
【００１１】
請求項７に記載した発明は、流量センサと濃度センサの信号と濃度設定手段の信号とから第１の添加部に流入する原水の流量を第２の駆動部を駆動して流量調整手段によって調整し、また流量比調整手段に設けているつまみを硬度報知手段に表示している高度の情報から使用者が調整するようにして、ミネラル水のミネラル成分の濃度を濃度設定手段に設定されている濃度に調整でき、しかもマグネシウム成分とカルシウム成分との溶解比率を簡単な構成で調整することができるミネラル水製造装置としている。
【００１２】
請求項８に記載した発明は、流量センサと濃度センサの信号と濃度設定手段の信号とから硬度＆Ｍｇ溶解量報知手段に硬度とマグネシウムの溶解量を表示し、使用者が流量比調整つまみを調整してカルシウムの溶解量を調整し硬度を所定の値とし、さらに、つまみを調整してマグネシウムの溶解量を調整してマグネシウム成分とカルシウム成分との溶解比率を簡単な構成で調整することができるミネラル水製造装置としている。
【００１３】
請求項９に記載した発明は、制御手段が第２の濃度センサの信号から第２の駆動部を駆動してマグネシゥムの溶解量が所定値となるように調整し、濃度センサの信号から硬度報知手段に硬度を報知し、この報知内容によって使用者が流量比調整つまみを調整して所定の硬度として、マグネシウム成分とカルシウム成分との溶解比率を簡単な構成で調整することができるミネラル水製造装置としている。
【００１４】
請求項１０に記載した発明は、制御手段８が第２の濃度センサと濃度センサの情報からマグネシウム濃度とカルシウム濃度を硬度＆Ｍｇ溶解量報知手段に表示し、使用者が硬度＆Ｍｇ溶解量報知手段の表示によってつまみと流量比調整つまみを調整することによって、マグネシウム成分とカルシウム成分との溶解比率を簡単な構成で調整することができるミネラル水製造装置としている。
【００１５】
【実施例】
（実施例１）
以下、本発明の第１の実施例について図面を参照しながら説明する。図１は本実施例の構成を示すブロック図である。筐体１内には、塩基性炭酸マグネシウム等のマグネシウム成分を充填した第１の添加部６と、第１の添加部６を通過した水が流れる流量比調整手段３と、流量比調整手段３の流量比を調整する駆動部９と、炭酸カルシウムまたは硫酸カルシウム等のカルシウム成分を充填した第２の添加部２と、混合部４と、混合部４を流れる水が含んでいるミネラル成分の濃度を測定する濃度センサ７と、濃度センサ７の信号を受けて前記駆動部９を駆動する制御手段８とを配置している。また、筐体１の表面には使用者がミネラル水の濃度を設定する濃度設定手段１０を配置している。濃度設定手段１０に指定されたミネラル水の濃度情報は、前記制御手段８に伝達されている。
【００１６】
前記第１の添加部６は、例えば水道水等の原水が流入する流入口と、流入口から流入した水が流出する流出口を有している。流出口を流出した水は、流量比調整手段３に流れ、第２の添加部２を介して混合部４に流れるミネラル水と、直接混合部４に流れるうすめ水とに分流される。図２は、前記流量比調整手段３の構成を説明する説明図である。流量比調整手段３は、第１の添加部６の流出口を流出した水が流入する原水側入口２４と、うすめ水が流出するうすめ水側出口１１と、第２の添加部２に送る水が流出するミネラル水側出口１２とを有する図示してないケースと、原水側入口２４から流入した水をうすめ水側出口１１とミネラル水側出口１２とに分流するドラム１３によって構成している。ドラム１３は、うすめ水側出口１１とミネラル水側出口１２に流れる水の流量を変える溝を有している。
【００１７】
図３は、このドラム１３の溝を平面に展開した状態を説明する説明図である。ミネラル水側の溝にはミネラル水側出口１２が、うすめ水側の溝にはうすめ水側出口１１が配置されている。すなわち、角度０〜３３０度の間は、溝の幅が互いに対応して直線的に変化するように設定されている。従って、駆動部９がドラム１３を回転駆動することによって、ミネラル水とうすめ水の流量比が変わるような構成となっているものである。制御手段８が駆動部９を使って流量比調整手段３を駆動することで、ミネラル水側出口１２に流れる水の量とうすめ水側出口１１に流れるうすめ水の流量比が変化する。すなわち、ドラム１３が回転することによってうすめ水側出口１１とミネラル水側出口１２の位置が相対的に上下に移動して、うすめ水側出口１１とミネラル水側出口１２の開口部の面積が変わってくるものである。本実施例では、前記駆動部９はモータによって構成している。
【００１８】
ミネラル水側出口１２を通過した水は、炭酸カルシウムまたは硫酸カルシウム等のカルシウム成分を充填した第２の添加部２を通過して、混合部４に送られる。またうすめ水側出口１１を通過した水は、直接混合部４に送られる。第２の添加部２は、第１の添加部６と同様、流量比調整手段３のミネラル水側出口１２を通過した水が流入する流入口と、流入口から流入した水が流出する流出口を有している。また混合部４は、第２の添加部２の流出口から流出した水が流入する流入口４ａと、流量比調整手段３のうすめ水側出口１１を通過した水が流入する流入口４ｂと、混合された水が流出する流出口４ｃとを有している。
【００１９】
前記流出口４ｃを流出した水は、濃度センサ７によって水中に含まれているミネラル成分の濃度をチェックされ、筐体１の外部に流出する。濃度センサ７が測定したミネラル成分の濃度の情報は、制御手段８に伝達されている。濃度センサ７は、例えば導電率計によって構成しており、水中のミネラル成分の濃度に応じて変化する導電率を測定しているものである。
【００２０】
また１０は、使用者がミネラル成分の濃度を設定する濃度設定手段で、筐体１の表面に設けている。濃度設定手段１０に設定された濃度は、制御手段８に伝達されている。制御手段８は、この濃度設定手段１０に設定されている濃度情報と、濃度センサ７が伝達する導電率の情報とを受けて、前記導電率から流出口４ｃを流出した水が含有しているミネラル成分の硬度を演算し、この情報に基づいて駆動部９を駆動しているものである。すなわち、流量比調整手段３の流量比を制御して、混合部４に流入するうすめ水と炭酸カルシウムまたは硫酸カルシウム等のカルシウム成分を充填した第２の添加部２を通過したミネラル水との割合を調整するものである。
【００２１】
以下、本実施例の動作について説明する。使用者が濃度設定手段１０を使用して濃度を設定して、水道の蛇口を開くと、蛇口から出た原水は塩基性炭酸マグネシウム等のマグネシウム成分を充填した第１の添加部６を通過してミネラル水となる。すなわち、第１の添加部６を通過する間に、原水中にはマグネシウム成分が溶解する。このときのマグネシウム成分の溶解量は、マグネシウム成分の種類と流量によってほぼ決定されるものであり、マグネシウム材料が決まればマグネシウム成分の溶解量は第１の添加部６に流入する水の流量によって決定される。
【００２２】
また第１の添加部６を通過したミネラル水は、流量比調整手段３のミネラル水側出口１２を流れるミネラル水と、うすめ水側出口１１を流れるミネラル水とに分流される。ミネラル水側出口１２を通ったミネラル水は、第２の添加部２を通って混合部４に流れる。第２の添加部２には、炭酸カルシウムまたは硫酸カルシウム等のカルシウム成分が充填されており、このカルシウム成分が前記ミネラル水中に更に溶解するものである。
【００２３】
この水中に溶解したマグネシウム成分とカルシウム成分の量は、（数１）に示す関係式によって炭酸カルシウムの量に換算される。すなわち、硬度として表現される。硬度は１Ｌあたりの炭酸カルシウムの量（ｍｇ）で表せるものである。
【００２４】
硬度＝４×カルシウム量＋２．５×マグネシウム量              （数１）
また、単位時間当たりに流れる水中に含まれる炭酸カルシウムの量は、（数２）に示す総硬度として表現される。
【００２５】
総硬度＝流量×硬度                                        （数２）
この総硬度によって、原水中に含まれる炭酸カルシウムの総量が計算できる。図４は、第１の添加部６を通過する原水の流量と硬度、総硬度の関係の一例を示している。図４のａは総硬度を示す特性であり、流量が多いほど高くなる。またｂは硬度を示す特性であり、流量が少ないほど高くなる。つまり、硬度と総硬度とは流量に関して逆の特性となっている。なお、第２の添加部２を通過するミネラル水に溶解するカルシウム成分の溶解特性も、ほぼ図４に示した特性と同様となっている。
【００２６】
混合部４では、流入口４ａから第２の添加部２の流出口から流出したミネラル水と、流入口４ｂから流入した流量比調整手段３のうすめ水側出口１１を通過したうすめ水とを混合して、この混合したミネラル水を流出口４ｃから取りだしているものである。流出口４ｃには濃度センサ７を配置している。濃度センサ７は、溶液の導電率を測定することによって、水中に溶解しているミネラル分すなわち硬度を測定しているものである。濃度センサ７の検知信号は、制御手段８に伝達されている。制御手段８は、濃度センサ７の検知信号を受けて、内蔵している換算プログラムによって混合部４の流出口４ｃを流れるミネラル水の現在の硬度を把握する。また、こうして把握した硬度と、濃度設定手段１０に設定されている濃度から換算した硬度とを比較することによって、駆動部９を駆動するものである。すなわち、濃度センサ７の検知信号から換算した硬度が濃度設定手段１０に設定されている濃度から換算した硬度よりも高いときには、ミネラル水側出口１２側に流れる流量を減らし、低ければミネラル水側出口１２側の流量を増やすように流量比調整手段３を駆動するものである。制御手段８がこの制御を継続することによって、混合部４の流出口４ｃを流れるミネラル水の硬度を所定の値に維持することが出来るものである。
【００２７】
以上のように本実施例によれば、カルシウム成分だけでなくマグネシウム成分も添加でき、しかも濃度設定手段１０に設定されている濃度を維持できるミネラル水製造装置を実現できるものである。
【００２８】
（実施例２）
続いて本発明の第２の実施例について説明する。図５は本実施例の構成を示すブロック図である。本実施例では、前記第１の実施例の構成に加えて、第２の駆動部１６と、原水の流量を調整する流量調整手段１４と、流量調整手段１４を流れる流量を計測する流量センサ１５とを備えているものである。
【００２９】
流量センサ１５は、本実施例では流路中に設けている羽根車が流量に比例して回転し、その回転数に比例したパルス数を制御手段８に出力するように構成されている。このパルス数を制御手段８がカウントすることによって、原水の流量を推定するものである。流量調整手段１４は、本実施例ではニードルバルブによって構成しており、流路中のニードルの位置を例えばモータによって構成している第２の駆動部１６を駆動することによって、流路の断面積が変化するように移動して、流量を調整するものである。
【００３０】
以下、本実施例の動作を説明する。実施例１の図４で説明したように、流量が変化すると硬度或いは総硬度は変化するものである。そこで本実施例では、制御手段８は、ミネラル水の硬度を測定する濃度センサ７の信号を受けて駆動部９を駆動し、濃度センサ９で測定した濃度が濃度設定手段１０で設定した濃度と同一となるように、ミネラル水側出口１２側に流れるミネラル水の流量と、うすめ水側出口１１を流れるうすめ水の流量の比を調整しているものである。この結果、ミネラル水の硬度が一定になるように調整されるものである。
【００３１】
また図４で説明しているように、流量が決まることはマグネシウムの溶解量が決まることも意味している。本実施例の制御手段８は、マグネシウムの溶解量を決める流量センサ１５の信号を受けて第２の駆動部１６を駆動するようにしているものである。つまり本実施例の制御手段８は、流量センサの１５の信号を受けて、マグネシウムの溶解量が例えば８０ｍｇ／ｌという設定値になるように、予め決められた流量に調整するものである。すなわち、流量が多い時には少なくなるように、少ない時には多くなるように、第２の駆動部１６を使って流量調整手段１４を動作させて流量を制御するものである。この制御を実行することによって、マグネシウムの溶解量は濃度設定手段１０に設定されている設定値となるものである。
【００３２】
このため本実施例によれば、第１の添加部６に充填されている塩基性炭酸マグネシウム等のマグネシウム成分の溶解量を自由にコントロールしながら、かつミネラル水の硬度も一定になるように制御することができるものとなっている。
【００３３】
従って、本実施例によれば、ミネラル水中に溶解しているカルシウム成分とマグネシウム成分との比を自由に調整しかつ、ミネラル水の硬度も一定になるように調整することが出来るものである。
【００３４】
なお本実施例では、マグネシウムの溶解量は予め設定するようにしているが、マグネシウムの溶解量を変えるＭｇ濃度設定手段を配置して、マグネシウムの濃度を自由に変えるようにしても良いものである。
【００３５】
（実施例３）
続いて本発明の第３の実施例について説明する。図６は本実施例の構成を示すブロック図である。本実施例では、前記第１の実施例の構成に加えて、つまみ１７によって駆動される、原水の流量を調整する流量調整手段１４と、流量調整手段１４を流れる流量を計測する流量センサ１５を備えているものである。流量調整手段１４と流量センサ１５の構成は、前記第２の実施例で説明したものと同様のものである。
【００３６】
本実施例では、生成されたミネラル水の硬度を自動的に一定に調整しながら、ミネラル水中に溶解しているマグネシウムの溶解量を、つまみ１７を調整して流量調整手段１４の流量を変えることによって変化させるものである。１８はマグネシウムの溶解量を報知するＭｇ溶解量報知手段で、制御手段８が、流量センサ１５の流量を示す信号から演算したものを表示しているものである。
【００３７】
以下、本実施例の動作について説明する。制御手段８は、濃度センサ７が検知するミネラル水の濃度の情報と、濃度設定手段１０に設定されている濃度とを比較することによって、駆動部９を駆動する信号を送っているものである。つまり、駆動部９を駆動させることで、硬度を一定に維持しているものである。
【００３８】
更に、制御手段８は、流量センサ１５が検知するミネラル水の流量の情報からマグネシムの溶解量を推定し、Ｍｇ溶解量報知手段１８に表示しているものである。使用者はこの表示内容を見ることによって、つまみ１７の調整方向を判断して、つまみ１７を操作するものである。使用者がつまみ１７を流量を少なくする方向に調整すると、溶解するマグネシウム成分が増大し、逆に流量を多くする方向に調整すればマグネシウムの溶解量は低下する。この結果、カルシウム成分とマグネシウムの成分の溶解比は変化するものである。
【００３９】
濃度センサ７からの信号の処理と、流量センサ１５からの流量の信号の処理と、の順序は、特に制限を必要としないものである。
【００４０】
以上のように本実施例によれば、簡単な構成で、ミネラル水中に溶解しているカルシウム成分とマグネシウム成分との比を自由に調整することが出来、かつ、ミネラル水の硬度も一定になるように調整することが出来るものである。
【００４１】
（実施例４）
次に、本発明の第４の実施例について説明する。図７は本実施例の構成を示すブロック図である。本実施例では、第２の添加部６の流出口に第２の駆動部１６によって駆動される流量調整手段１４と、流量調整手段１４を流れるミネラル水の濃度を測定する第２の濃度センサ１９を配置している。本実施例の制御手段８は、筐体１の表面に配置している濃度設定手段１０に設定されているミネラル水の濃度と、カルシウムとマグネシウムの成分比を示す信号と、混合部４の流出口４ｃに配置している濃度センサ７の濃度信号と、前記第２の濃度センサ１９の濃度信号とを受けて、駆動部９と前記第２の駆動部１６とを制御しているものである。
【００４２】
以下、本実施例の動作を説明する。本実施例では、第２の濃度センサ１９が、第１の添加部６によって添加された塩基性炭酸マグネシウム等のマグネシウム成分の濃度を先ずチェックしている。第２の濃度センサ１９が検知した濃度情報は、制御手段８に伝達されて、制御手段８が、濃度設定手段１０で設定されたマグネシウンム溶解量に応じて第２の駆動部１６を駆動し、流量調整手段１４を調整して、第１の添加部６に流入する原水の量を調整するものである。第１の添加部６に流入する原水の量を調整することによって、原水中に溶解するマグネシウム成分の濃度が一定となるものである。この調整を終了した段階で、制御手段８は、濃度センサ７の信号に応じて駆動部９を作動させるものである。つまり流量比調整手段３を調整して、ミネラル水側出口１２側に流れるミネラル水の流量と、うすめ水側出口１１を流れるうすめ水の流量の比を変えて、ミネラル水の生成硬度を一定に調整しているものである。
【００４３】
以上のように本実施例によれば、第２の濃度センサ１９によってマグネシウム成分の濃度を測定し、マグネシウム成分を所定の濃度に調整した後、濃度センサ７の信号に応じて駆動部９を作動させるようにして、ミネラル成分の濃度を濃度設定手段１０に設定されている濃度に調整でき、しかもマグネシウム成分とカルシウム成分との溶解比率を簡単な構成で調整することができるものである。
【００４４】
（実施例５）
続いて本発明の第５の実施例について説明する。図８は本実施例の構成を示すブロック図である。実施例１で説明したと同様に、第１の添加部６の流出口には、第１の添加部６に流入する原水の流量を調整する流量調整手段１４と、第１の添加部６を流れたミネラル水に含有されているミネラル成分の濃度を測定する第２の濃度センサ１９を設けている。流量調整手段１４は、例えばニードルバルブによって構成しており、本実施例では流路中のニードルの位置をつまみ１７によって手動で調整するようになっている。
【００４５】
このつまみ１７の回転方向は、Ｍｇ溶解量報知手段１８が表示するマグネシウムの溶解量により使用者が判定し回転方向を決めるようになっている。
【００４６】
第２の濃度センサ１９を通過したミネラル水は、実施例１で説明したと同様の流量比調整手段３によって、うすめ水が流出するうすめ水側出口１１と、第２の添加部２に原水が流出するミネラル水側出口１２とに分流されている。この分流比は実施例１と同様に、駆動部９によって決定されている。ミネラル水側出口１２から流れたミネラル水は、第２の添加部２から混合部４の流入口４ａに流入する。うすめ水側出口１１を通過した水が流入する流入口４ｂに供給される。また、うすめ水側出口１１から流れたうすめ水は直接混合部４の流入口４ｂに供給されて、前記添加部２から流れたミネラル水と混合される。混合部４の流出口４ｃには、混合部４から流れる水に含まれているミネラル成分の濃度を測定する第１の濃度センサ７を配置している。前記、Ｍｇ溶解量報知手段の報知内容からつまみ１７の回転方向を使用者が判断するものである。前記第１の濃度センサ７及び第２の濃度センサ１９の検知濃度は制御手段８に伝達されており、制御手段８はこれら情報と、濃度設定手段１０に設定されている濃度の情報とから、駆動部９を駆動する信号を送ると共に、Ｍｇ溶解量報知手段１８にマグネシウムの溶解量を報知するものである。
【００４７】
以下本実施例の動作について説明する。本実施例では、制御手段８は先ず第２の濃度センサ１９の信号を受けて、マグネシウムの溶解量を計算し、Ｍｇ溶解量報知手段１８にマグネシウムの溶解量を表示している。使用者がその表示をみて、つまみ１７を回転させるようにして、第１の添加部６に流入する原水の量を調整し、マグネシウムの溶解量を調整するものである。
【００４８】
以上のように本実施例によれば、塩基性炭酸マグネシウム等のマグネシウム成分の溶解量を確実に管理することが出来、ミネラル水中に溶解しているカルシウム成分とマグネシウム成分との比を確実に調整することが出来るものである。
【００４９】
（実施例６）
続いて本発明の第６の実施例について説明する。図９は本実施例の構成を示すブロック図である。本実施例では、第１の実施例の構成に加えて、生成するミネラル水の硬度を調整する流量比調整手段３の調整を流量比調整つまみ２０によって手動で行うようにしているものである。２１は、濃度センサ７で検出した濃度を制御手段８が硬度に変換し、その硬度を表示する硬度報知手段である。つまり、使用者は硬度報知手段２１の表示値から流量比調整つまみ２０を操作して硬度を低くしたり、高くしたりして所望の硬度に調整するものである。
【００５０】
以上のように本実施例によれば、簡単な構成で、カルシウム成分とマグネシウム成分とを含有している所定の硬度のミネラル水を得ることが出来るものである。
【００５１】
（実施例７）
次に、本発明の第７の実施例を説明する。図１０は本実施例の構成を示すブロック図である。本実施例では、第２の駆動部１６に駆動され、原水の流量を調整する流量調整手段１４と、その流量を計測する流量センサ１５と、生成するミネラル水の硬度を調整する流量比調整手段３と、流量比調整手段３の流量比を調整を流量比調整つまみ２０を備えている。つまり流量比調整手段３の流量の調整は、手動で行うように構成されている。流量調整手段１４と流量センサ１５の構成は第２の実施例で説明したものと同じである。２２は、マグネシウムの溶解量を自由に設定するＭｇ濃度設定手段である。
【００５２】
本実施例では、濃度センサ７が検知するミネラル水の濃度の情報は制御手段８に伝達され硬度報知手段２１で表示される。使用者は硬度報知手段２１をみながら流量比調整つまみ２０を調整することによって、生成するミネラル水の硬度を調整するものである。また制御手段８はＭｇ濃度設定手段２２で設定されているマグネシウムの溶解量の調整をするために、流量センサ１５の検出流量をもとに第２の駆動部１６を駆動して流量調整手段１４で流量を調整しているものである。流量比調整手段３に接続している第２の添加部２と混合部４は、前記各実施例で説明したものである。
【００５３】
以下本実施例の動作について説明する。制御手段８は、流量センサ１５から流量の情報を受けると、Ｍｇ濃度設定手段２２に予め設定されているマグネシウム溶解量（例えば８０ｍｇ／ｌ）になるような流量に、第２の駆動部１６を使って流量調整手段１４を動作させて調整するものである。この結果、第１の添加部６からは所定量のマグネシウムが溶出する。
【００５４】
このとき制御手段８は濃度センサ７が検知するミネラル水の濃度の情報をもとに硬度報知手段２１に現在のミネラル水の生成硬度を表示する。使用者はこの表示硬度を所望の硬度と比較し、流量比調整つまみ２０を使って、第２の添加部６に流入する原水の量を増加する方向に或いは減少する方向に回転させて調整を行うものである。
【００５５】
以上のように本実施例によれば、第１の添加部６が添加するマグネシウム成分の溶解量を一定に調整しながら、また第２の添加部２が添加するカルシウム成分の溶解量を変えることで所望の硬度に調整することが出来るものである。
【００５６】
なお本実施例では、マグネシウムの溶解量はＭｇ濃度設定手段で設定しているが、予め制御手段８に設定しておいても良いものである。
【００５７】
（実施例８）
続いて本発明の第８の実施例について説明する。図１１は本実施例の構成を示すブロック図である。本実施例では、ミネラル水の生成硬度を調整する流量比調整手段３の駆動を流量比調整つまみ２０で、マグネシウム溶解量を調整する流量調整手段１４の駆動をつまみ１７で行うようにしているものである。この流量比調整つまみ２０とつまみ１７の調整は、使用者が硬度とマグネシウム溶解量を表示する硬度＆Ｍｇ溶解量報知手段２３を確認することで、使用者が行っているものである。
【００５８】
以下本実施例の動作を説明する。濃度センサ７と流量センサ１５の測定情報を制御手段８が受けると、制御手段８は、濃度センサ７の情報からミネラル水の硬度を、流量センサ１５の情報からマグネシウムの溶解量を硬度＆Ｍｇ溶解量報知手段２３に表示するようにしている。使用者は、この硬度＆Ｍｇ溶解量報知手段２３の表示内容に基づいて、流量比調整つまみ２０を調整して硬度を増減させ、つまみ１７を調整してマグネシウムの溶解量を増減させることによって所望のミネラル水を生成するものである。
【００５９】
以上のように本実施例によれば、第１の添加部６が添加するマグネシウム成分の溶解度と、第２の添加部２が添加するカルシウム成分の溶解度すなわちミネラル水の硬度を手動で自由に調整することが出来るものである。
【００６０】
（実施例９）
続いて本発明の第９の実施例について説明する。図１２は本実施例の構成を示すブロック図である。本実施例では、ミネラル水の生成硬度を調整する流量比調整手段３の駆動を流量比調整つまみ２０で、マグネシウム溶解量を調整する流量調整手段１４の駆動を、濃度センサ１９の情報をもとに制御手段８が駆動部１６を使って自動で行うようにしているものである。この流量比調整つまみ２０の調整は、使用者が硬度を表示する硬度報知手段２１をみながら決定している。２２は、マグネシウムの溶解量を自由に設定するＭｇ濃度設定手段である。
【００６１】
本実施例では、流量比調整手段３の流量比の調整を流量比調整つまみ２０によってミネラル水の硬度を所定値に調整したものを、第２の添加部２と混合部４に供給している。混合部４の流出口４ｃには、ミネラル水の硬度を測定する濃度センサ７を配置している。濃度センサ７を通ったミネラル水を外部に取り出すようにしている。
【００６２】
以下本実施例の動作について説明する。本実施例では、第１の添加部６を流れるミネラル水の濃度を第２の濃度センサ１９が測定して、制御手段８に伝達している。制御手段８は第２の濃度センサ１９の濃度測定結果からマグネシウムの溶出量を演算し、Ｍｇ濃度設定手段２２で設定された所定量のマグネシウムが溶解するように駆動部１６を使って流量調整手段１４を駆動し調整する。また、濃度センサ７が検知しているミネラル水の濃度の情報は、制御手段８に伝達されている。制御手段８はこの濃度センサ７の情報から硬度を演算し、硬度報知手段２１に表示する。
【００６３】
使用者は、この硬度報知手段２１の表示内容に基づいて流量比調整つまみ２０を調整することによって、硬度を調整するものである。また、マグネシウムの溶解量は、制御手段８が濃度センサ１９の信号から第２の駆動部１６を駆動することによって行っている。この結果、所望の濃度のミネラル水が得られるものである。
【００６４】
以上のように本実施例によれば、第１の添加部６が添加するマグネシウム成分の溶解度と、第２の添加部２が添加するカルシウム成分の溶解度とを調整することが出来、ミネラル水中に溶解しているカルシウム成分とマグネシウム成分との比を確実に調整することが出来るものである。
【００６５】
なお本実施例では、マグネシウムの溶解量は、Ｍｇ濃度設定手段２２によって設定するようにしているが、予め制御手段８で設定しておいても良いものである。
【００６６】
（実施例１０）
次に、本発明の第１０の実施例について説明する。図１３は本実施例の構成を示すブロック図である。本実施例では、第１の添加部６の流出口につまみ１６で駆動される流量調整手段１４と、濃度センサ１９とを設けている。また濃度センサ１９を通ったミネラル水を、流量比調整つまみ２０によって調整される流量比調整手段３から、第２の添加部２と混合部４に供給している。混合部４の流出口４ｃには濃度センサ７を配置しており、濃度センサ７を通ったカルシウム分が増加したミネラル水を外部に取り出すようにしている。更に濃度センサ７と第２の濃度センサ１９の測定結果を表示する硬度＆Ｍｇ溶解量報知手段２３を備えている。
【００６７】
以下本実施例の動作について説明する。本実施例では、第１の添加部６を流れた後のマグネシウムが増加したミネラル水の濃度を、第２の濃度センサ１９が測定して制御手段８にこの情報を伝達している。また、濃度センサ７が測定するカルシウムが増加したミネラル水の濃度の情報を制御手段８に伝達している。制御手段８は、第２の濃度センサ１９で測定したマグネシウムの濃度と濃度センサ７で測定したカルシウム濃度とを硬度＆Ｍｇ溶解量報知手段２３に表示している。
【００６８】
使用者はこの硬度＆Ｍｇ溶解量報知手段２３の表示をみながら、マグネシウム量を変更したい時にはつまみ１６を、ミネラル水の硬度を変えたい時には流量比調整つまみ２０を調整することによって、所望のミネラル水を生成することができる。
【００６９】
このため本実施例によれば、第１の添加部６が添加するマグネシウム成分の溶解度と、第２の添加部２が添加するカルシウム成分の溶解度とを、すなわちミネラル水の硬度を調整することが出来、ミネラル水中に溶解しているカルシウム成分とマグネシウム成分との比を確実に調整することが出来るものである。
【００７０】
【発明の効果】
請求項１に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記混合部から流れる水に含まれているミネラル成分の濃度を測定する濃度センサと、使用者がミネラル水の濃度を設定する濃度設定手段と、前記濃度センサと濃度設定手段の信号に応じて前記駆動部を駆動する制御手段とを備えた構成として、マグネシウム成分とカルシウム成分とを含むミネラル水を長期間、安定的に濃度設定手段に設定されている濃度で作ることが出来るミネラル水製造装置を実現するものである。
【００７１】
請求項２に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記混合部から流れる水の流量を測定する流量センサと、第１の添加部に流入する原水の流量を調整する流量調整手段と、流量調整手段を駆動する第２の駆動部と、前記混合部から流れる水に含まれているミネラル成分の濃度を測定する濃度センサと、使用者がミネラル水の濃度やマグネシウムの溶解量を設定する濃度設定手段と、前記濃度センサと流量センサと濃度設定手段の信号に応じて前記駆動部と第２の駆動部とを駆動する制御手段とを備えた構成として、ミネラル水のミネラル成分の濃度を濃度設定手段に設定されている濃度に調整でき、しかもマグネシウム成分とカルシウム成分との溶解比率を調整することができるミネラル水製造装置を実現するものである。
【００７２】
請求項３に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記混合部から流れる水の流量を測定する流量センサと、第１の添加部に流入する原水の流量を調整する流量調整手段と、前記流量調整手段を手動で駆動するつまみと、マグネシウムの溶解量を表示するＭｇ溶解量報知手段と、前記混合部から流れる水に含まれているミネラル成分の濃度を測定する濃度センサと、使用者がミネラル水の濃度を設定する濃度設定手段と、前記濃度センサの信号と流量センサの信号と濃度設定手段の信号に応じて前記駆動部を駆動し、ミネラル水のミネラル成分の濃度を一定に調整し、Ｍｇ溶解量報知手段でマグネシウム溶解量を表示する制御手段とを備えた構成として、ミネラル水のミネラル成分の濃度を濃度設定手段に設定されている濃度に調整でき、しかもマグネシウム成分とカルシウム成分との溶解比率を調整することができるミネラル水製造装置を実現するものである。
【００７３】
請求項４に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記第１の添加部に流入する原水の流量を調節する流量調整手段と、流量調整手段を駆動する第２の駆動部と、第１の添加部を流れた水に含まれているマグネシウム成分の濃度を測定する第２の濃度センサと、前記混合部から流れる水に含まれているミネラル成分の濃度を測定する濃度センサと、使用者がミネラル水の濃度やマグネシウム溶解量を設定する濃度設定手段と、前記第２の濃度センサの信号と濃度設定手段に設定されている設定値に応じて第２の駆動部を駆動して流量調整手段を駆動してマグネシウム成分の濃度を調整した後、前記濃度センサの信号に応じて駆動部を作動させて流量比調整手段を駆動する制御手段とを備えた構成として、ミネラル水のミネラル成分の濃度を濃度設定手段に設定されている濃度に調整でき、しかもマグネシウム成分とカルシウム成分との溶解比率を簡単な構成で調整することができるミネラル水製造装置を実現するものである。
【００７４】
請求項５に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を駆動する駆動部と、前記混合部から流れる水に含まれているミネラル成分の濃度を測定する濃度センサと、前記第１の添加部に流入する原水の流量を調節する流量調整手段と、流量調整手段を駆動する第１のつまみと、第１の添加部を流れた水に含まれているマグネシウム成分の濃度を測定する第２の濃度センサと、使用者がミネラル水の濃度を設定する濃度設定手段と、前記第２の濃度センサの信号によってマグネシウムの溶解量を報知するＭｇ溶解量報知手段と、前記濃度センサと濃度設定手段に設定されている信号に応じて駆動部を駆動してミネラル水のミネラル成分の濃度を調整し、Ｍｇ溶解量報知手段の表示内容を制御する制御手段とを備えた構成として、ミネラル水のミネラル成分の濃度を濃度設定手段に設定されている濃度に調整でき、しかもマグネシウム成分とカルシウム成分との溶解比率を簡単な構成で調整することができるミネラル水製造装置を実現するものである。
【００７５】
請求項６に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、前記混合部から流れる水に含まれているミネラル成分の濃度を測定する濃度センサと、前記濃度センサの信号に応じて硬度を表示する硬度報知手段に表示内容を出力する制御手段とを備えた構成として、ミネラル水のミネラル成分の濃度を濃度設定手段に設定されている濃度に調整でき、しかもマグネシウム成分とカルシウム成分との溶解比率を簡単な構成で調整することができるミネラル水製造装置を実現するものである。
【００７６】
請求項７に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、混合部から流れる水の流量を測定する流量センサと、第１の添加部に流入する原水の流量を調整する流量調整手段と、流量調整手段を駆動する第２の駆動部と、使用者がミネラル水のマグネシウム濃度を設定するＭｇ濃度設定手段と、前記濃度センサの信号から硬度報知手段に表示内容を出力すると共に、第２の駆動部を作動させて混合部から流れるミネラル水の流量を調整してＭｇ濃度設定手段により設定されたマグネシウムの量に調整する制御手段とを備えた構成として、ミネラル水のミネラル成分の濃度を濃度設定手段に設定されている濃度に調整でき、しかもマグネシウム成分とカルシウム成分との溶解比率を簡単な構成で調整することができるミネラル水製造装置を実現するものである。
【００７７】
請求項８に記載した発明は、マグネシウム成分を添加する第１の添加部と、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、混合部から流れる水の流量を測定する流量センサと、第１の添加部に流入する原水の流量を調整する流量調整手段と、流量調整手段を駆動する第２のつまみと、前記濃度センサの信号と流量センサの信号とからミネラル水の硬度とマグネシウムの溶解量を表示する硬度＆Ｍｇ溶解量報知手段と、前記濃度センサの信号と流量センサの信号から前記硬度＆Ｍｇ溶解量報知手段に表示内容を出力する制御手段とを備えた構成として、使用者が流量比調整つまみを調整してカルシウムの溶解量を調整し硬度を所定の値とし、さらに、つまみを調整してマグネシウムの溶解量を調整してマグネシウム成分とカルシウム成分との溶解比率を簡単な構成で調整することができるミネラル水製造装置を実現するものである。
【００７８】
請求項９に記載した発明は、マグネシウム成分を添加する第１の添加部と、第１の添加部に流入する原水の流量を調整する流量調整手段と、前記流量調整手段を駆動する第２の駆動部と、第１の添加部から流れる水が含有しているマグネシウム成分の濃度を測定する第２の濃度センサと、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、使用者がミネラル水に含まれるマグネシウムの溶解量を設定するＭｇ濃度設定手段と、前記濃度センサの信号から、硬度を表示する硬度報知手段に指示内容を出力し、Ｍｇ濃度設定手段と第２の濃度センサの信号により、所定の濃度になるように第２の駆動部を駆動する制御手段とを備えた構成として、ミネラル水のミネラル成分の濃度を濃度設定手段に設定されている濃度に調整でき、しかもマグネシウム成分とカルシウム成分との溶解比率を調整することができるミネラル水製造装置を実現するものである。
【００７９】
請求項１０に記載した発明は、マグネシウム成分を添加する第１の添加部と、第１の添加部に流入する原水の流量を調整する流量調整手段と、前記流量調整手段を駆動するつまみと、第１の添加部から流れる水が含有しているマグネシウム成分の濃度を測定する第２の濃度センサと、カルシウム成分を添加する第２の添加部と、第１の添加部を流れた水の一部を第２の添加部に流し、残りを直接混合部に流す流量比調整手段と、流量比調整手段から流れた第２の添加部を通過した水と、流量比調整手段から流れた第２の添加部を通過しない水とを混合する混合部と、前記流量比調整手段を調整する流量比調整つまみと、前記混合部から流れる水に含まれているミネラル成分の濃度を測定する濃度センサと、ミネラル水の硬度とマグネシウム溶解量を表示する硬度＆Ｍｇ溶解量報知手段と、前記濃度センサの信号と第２の濃度センサの信号とから前記硬度＆Ｍｇ溶解量報知手段に硬度とマグネシウム溶解量の表示内容を指示する制御手段とを備えた構成として、マグネシウム成分とカルシウム成分との溶解比率を簡単な構成で調整することができるミネラル水製造装置を実現するものである。
【図面の簡単な説明】
【図１】本発明の第１の実施例であるミネラル水製造装置の構成を示すブロック図
【図２】同、流量調整手段の構成を説明する説明図
【図３】同、流量調整手段の動作を説明する説明図
【図４】同、流量と硬度との関係を説明する特性図
【図５】本発明の第２の実施例であるミネラル水製造装置の構成を示すブロック図
【図６】本発明の第３の実施例であるミネラル水製造装置の構成を示すブロック図
【図７】本発明の第４の実施例であるミネラル水製造装置の構成を示すブロック図
【図８】本発明の第５の実施例であるミネラル水製造装置の構成を示すブロック図
【図９】本発明の第６の実施例であるミネラル水製造装置の構成を示すブロック図
【図１０】本発明の第７の実施例であるミネラル水製造装置の構成を示すブロック図
【図１１】本発明の第８の実施例であるミネラル水製造装置の構成を示すブロック図
【図１２】本発明の第９の実施例であるミネラル水製造装置の構成を示すブロック図
【図１３】本発明の第１０の実施例であるミネラル水製造装置の構成を示すブロック図
【符号の説明】
２  第２の添加部
３  流量比調整手段
４  混合部
６  第１の添加部
７  濃度センサ
８  制御手段
９  駆動部
１０  濃度設定手段
１４  流量調整手段
１５  流量センサ
１６  第２の駆動部
１７  つまみ
１８  Ｍｇ溶解量報知手段
１９  第２の濃度センサ
２０  流量比調整つまみ
２１  硬度報知手段
２２  Ｍｇ濃度設定手段
２３  硬度＆Ｍｇ溶解量報知手段
【図１】
0003562313.tif 000002
【図２】
0003562313.tif 000003
【図３】
0003562313.tif 000004
【図４】
0003562313.tif 000005
【図５】
0003562313.tif 000006
【図６】
0003562313.tif 000007
【図７】
0003562313.tif 000008
【図８】
0003562313.tif 000009
【図９】
0003562313.tif 000010
【図１０】
0003562313.tif 000011
【図１１】
0003562313.tif 000012
【図１２】
0003562313.tif 000013
【図１３】
0003562313.tif 000014